(57)【要約】      （修正有）【課題】簡素な工程で製造することができ、防水性に優れており水濡れ箇所への施工に適しており、しかも、頗る配色調和の取れた美的外観を呈する装飾床パネルを提供する。【解決手段】長手板体の側縁部に合せ溝１１ｂ等よりなる結合部を有するベース板体１の表面に、着色顔料が混練されてなる有色プラスチック製フィルム２を接着して、かつ、この有色プラスチック製フィルム２の表面には少なくとも装飾模様３１を具備する装飾プラスチックフィルム３を接着する。この装飾プラスチックフィルム３の表面から前記有色プラスチック製フィルム２の層内に到達する溝部４を形成して、この溝部４の底部において有色プラスチック製フィルム２が露出して、前記着色顔料の色相が表面に現出している。また、当該着色顔料の色相と、前記装飾プラスチックフィルム３の装飾模様３１に配色された色相との色相差を類似又は対照にして互いに調和させた。【選択図】図３
0003181709.tif 000002
【実用新案登録請求の範囲】
【請求項１】
長手板体の側縁部に結合部（11）を有するベース板体（１）の表面に、着色顔料が混練されてなる有色プラスチック製フィルム（２）が接着されており、かつ、この有色プラスチック製フィルム（２）の表面には少なくとも装飾模様（31）を具備する装飾プラスチックフィルム（３）が接着されている一方、
この装飾プラスチックフィルム（３）の表面から前記有色プラスチック製フィルム（２）の層内に到達する溝部４が形成されており、この溝部（４）の底部において有色プラスチック製フィルム（２）が露出して、前記着色顔料の色相が表面に現出しているとともに、
当該着色顔料の色相と、前記装飾プラスチックフィルム（３）の装飾模様（31）に配色された色相との色相差が類似または対照であって互いに調和していることを特徴とする装飾床パネル。
【請求項２】
装飾プラスチックフィルム（３）の装飾模様（31）が木目模様等であって、かつ、有色プラスチックフィルム（２）の着色顔料が木目模様等と同系色であることを特徴とする請求項１記載の装飾床パネル。
【請求項３】
有色プラスチック製フィルム（２）の着色顔料の色相と、装飾プラスチックフィルム（３）の装飾模様（31）に配色された色相との色相差が、マンセル２４色相環において３以内であることを特徴とする請求項１または２記載の装飾床パネル。
【請求項４】
有色プラスチック製フィルム（２）の材料がポリエチレンテレフタレート若しくは硬質塩化ビニル等の硬質プラスチックフィルムであることを特徴とする請求項１〜３の何れか一つに記載の装飾床パネル。
【請求項５】
装飾プラスチックフィルム（３）の材料がオレフィン系樹脂や塩化ビニル樹脂などの熱可塑性樹脂であることを特徴とする請求項１〜４の何れか一つに記載の装飾床パネル。
【請求項６】
溝部（４）の断面形状が、Ｖ字型またはＵ字型であることを特徴とする請求項１〜５の何れか一つに記載の装飾床パネル。
【請求項７】
有色プラスチック製フィルム（２）の厚みが０．３〜１．０ｍｍであることを特徴とする請求項１〜６の何れか一つに記載の装飾床パネル。
【請求項８】
ベース板体（１）の結合部（11）の肩部（11ａ）が面取りされており、隣接するベース板体（11）を互いに添合させることによって合わせ溝（11ｂ）が形成されることを特徴とする請求項１〜７の何れか一つに記載の装飾床パネル。
【考案の詳細な説明】
【技術分野】
【０００１】
本考案は、建築用資材の改良、更に詳しくは、防水性に優れており水濡れ箇所への施工に適しており、しかも、頗る配色調和の取れた美的外観を呈する装飾床パネルに関するものである。
【背景技術】
【０００２】
周知のとおり、住宅等の建築物の床面においては、長手の板体（床パネル）を複数並列して、実（サネ）継ぎなどにより接合連結して敷設することによって、床面構造を構成している。
【０００３】
従来、かかる床パネルとして、合板にＭＤＦ(中質繊維板)を積層し、更にＭＤＦの表面に突き板化粧単板や合成樹脂化粧フィルム等が貼着されたものが開示されている（例えば、特許文献１参照）。
【０００４】
しかし、上記従来の床パネルは、床材表面にＶ字型やＵ字型の溝加工を行うと、その溝部分よりＭＤＦが水分を吸収して膨潤する。そのため、キッチンや洗面脱衣所、トイレなどの水漏れのある場所での使用には適していない。また床パネルの表面化粧に突き板化粧単板を使用し塗装した場合には表面にクラックを生ずるおそれもある。
一方、ＭＤＦに合成樹脂化粧フィルム等を貼着させた場合には、剥離テストでＭＤＦに相関剥離が生じて、ＭＤＦと合成樹脂化粧フィルムの貼着強度がでない。
【０００５】
また、従来の表面溝部の着色には、着色料の塗装加工が行われていたが、この塗装加工は多量の着色料が必要であり、しかも、塗装後のワイピングや乾燥工程を行わなければならず、製造のために時間やコストがかかってしまうという問題があった。
【０００６】
そしてまた、木質基材の表面に熱可塑性樹脂層を介して化粧シートが積層され、該化粧シートの表面から該化粧シートの厚みを越え前記熱可塑性樹脂中間層の層内に至る深さの溝加工が施されてなる床材が開示されている（例えば、特許文献２参照）。
【０００７】
しかしながら、インテリアデザインには美的外観の要素が非常に重要であるため、快適な居住空間を実現するためには、視覚的にも調和が取れており、かつ、色相学的にも優れた配色装飾付与の要請があるため、積層構造における配色条件には創意工夫が必要であった。
【先行技術文献】
【特許文献】
【０００８】
【特許文献１】特開平１１−１７２９０４号公報
【特許文献２】特開２００４−８４２８４号公報
【考案の概要】
【考案が解決しようとする課題】
【０００９】
本考案は、従来の床パネルに上記のような問題があったことに鑑みて為されたものであり、その目的とするところは、簡素な工程で製造することができ、防水性に優れており水濡れ箇所への施工に適しており、しかも、頗る配色調和の取れた美的外観を呈する装飾床パネルを提供することにある。
【課題を解決するための手段】
【００１０】
本考案者が上記課題を解決するために採用した手段を添付図面を参照して説明すれば次のとおりである。
【００１１】
即ち、本考案は、長手板体の側縁部に結合部11を有するベース板体１の表面に、着色顔料が混練されてなる有色プラスチック製フィルム２を接着して、かつ、この有色プラスチック製フィルム２の表面には少なくとも装飾模様31を具備する装飾プラスチックフィルム３を接着する一方、
この装飾プラスチックフィルム３の表面から前記有色プラスチック製フィルム２の層内に到達する溝部４を形成して、この溝部４の底部において有色プラスチック製フィルム２が露出して、前記着色顔料の色相が表面に現出しているとともに、
当該着色顔料の色相と、前記装飾プラスチックフィルム３の装飾模様31に配色された色相との色相差を類似または対照にして互いに調和させるという技術的手段を採用したことによって、装飾床パネルを完成させた。
【００１２】
また、本考案は、上記課題を解決するために、必要に応じて上記手段に加え、装飾プラスチックフィルム３の装飾模様31を木目模様等にして、かつ、有色プラスチックフィルム２の着色顔料を木目模様等と同系色にするという技術的手段を採用した。
【００１３】
更にまた、本考案は、上記課題を解決するために、必要に応じて上記手段に加え、有色プラスチック製フィルム２の着色顔料の色相と、装飾プラスチックフィルム３の装飾模様31に配色された色相との色相差が、マンセル２４色相環において３以内であることを特徴とする請求項１または２記載の装飾床パネル。
という技術的手段を採用した。
【００１４】
更にまた、本考案は、上記課題を解決するために、必要に応じて上記手段に加え、有色プラスチック製フィルム２の材料を、ポリエチレンテレフタレート若しくは硬質塩化ビニル等の硬質プラスチックフィルムにするという技術的手段を採用した。
【００１５】
更にまた、本考案は、上記課題を解決するために、必要に応じて上記手段に加え、装飾プラスチックフィルム３をオレフィン系樹脂や塩化ビニル樹脂などの熱可塑性樹脂から形成するという技術的手段を採用した。
【００１６】
更にまた、本考案は、上記課題を解決するために、必要に応じて上記手段に加え、溝部４の断面形状を、Ｖ字型またはＵ字型にするという技術的手段を採用した。
【００１７】
更にまた、本考案は、上記課題を解決するために、必要に応じて上記手段に加え、有色プラスチック製フィルム２の厚みを０．３〜１．０ｍｍにするという技術的手段を採用した。
【００１８】
更にまた、本考案は、上記課題を解決するために、必要に応じて上記手段に加え、ベース板体１の結合部11の肩部11ａを面取りして、隣接するベース板体１・１を互いに添合させることによって合わせ溝11ｂを形成するという技術的手段を採用した。
【考案の効果】
【００１９】
本考案にあっては、長手板体の側縁部に結合部を有するベース板体の表面に、着色顔料が混練されてなる有色プラスチック製フィルムを接着して、かつ、この有色プラスチック製フィルムの表面には少なくとも装飾模様を具備する装飾プラスチックフィルムを接着する一方、この装飾プラスチックフィルムの表面から前記有色プラスチック製フィルムの層内に到達する溝部を形成して、この溝部の底部において有色プラスチック製フィルムが露出することによって、
前記着色顔料の色相を表面に現出せしめるとともに、当該着色顔料の色相と、前記装飾プラスチックフィルムの装飾模様に配色された色相との色相差を類似または対照にして互いに調和させることができる。
【００２０】
したがって、本考案の装飾床パネルによれば、予め着色顔料を混練しているため、塗装工程やワイピング、乾燥が不要で簡素な工程で製造することができ、また、防水性に優れているために洗面脱衣場やトイレなどの水濡れ箇所への施工に適しており、しかも、頗る配色調和の取れた美的外観を呈することができることから、実用的利用価値は頗る高いものがあると云える。
【図面の簡単な説明】
【００２１】
【図１】本考案の実施形態の装飾床パネルの構造を表わす断面図である。
【図２】本考案の実施形態の装飾床パネルの連結構造を表わす断面図である。
【図３】本考案の実施形態の装飾床パネルの使用状態を表わす斜視図である。
【考案を実施するための形態】
【００２２】
本考案を実施するための形態を、具体的に図示した図面に基づいて更に詳細に説明すると、次のとおりである。
【００２３】
本考案の実施形態を図１から図３に基づいて説明する。図１中、符号１で指示するものはベース板体であって、このベース板体１は、長手の板状部材(例えば１尺[約303mm]×６尺[1818mm]）であって、合板、製材木、集成木材などの木質材料である。
【００２４】
また、このベース板体１の側縁部には結合部11を有しており、嵌合などにより複数のベース板体１を接合連結することができる。本実施形態における結合部11の形状は、実（サネ）継ぎや合决りなどを採用することができ、床面の施工位置に応じて、長辺の片側または両側、短辺の片側または両側に設けることができる。即ち、床面の端部であれば結合部11は不要である。
【００２５】
また、符号２で指示するものは有色プラスチック製フィルムであり、この有色プラスチック製フィルム２は、樹脂材料に着色顔料が混練されてなるフィルム材であって、本実施形態では、ポリエチレンテレフタレートで作製するとともに、厚みを０．３〜１．０ｍｍにする。なお、樹脂材料には、硬質塩化ビニル等の他の硬質プラスチックフィルムも使用できる。
【００２６】
また、着色顔料としては、チタンブラックやチタンイエロー、チタンホワイトなどの酸化チタン、カーボンブラック、弁柄、フタロシアニンブルー、亜鉛華、鉛白、リトポン、沈降性硫酸バリウム、バライト粉、鉛丹、黄鉛、亜鉛黄、ウルトラマリン青、プロシア青（フェロシアン化鉄カリ）などを単独または複数で調合して使用することができる。
【００２７】
また、符号３で指示するものは装飾プラスチックフィルムであり、この装飾プラスチックフィルム３は、印刷フィルムと透明保護フィルムの２層で構成され、表面側から木目等の装飾模様31が見えるように印刷面を透明保護フィルムで覆って構成されている。なお、この装飾プラスチックフィルム３は、ポリプロピレン（ＰＰ）やポリエチレン（ＰＥ）などのオレフィン系樹脂や塩化ビニル等の熱可塑性樹脂から作製する。また、装飾模様31を印刷加工によって付与することができ、必要に応じてエンボス加工などの凹凸加工を付加することもできる。
【００２８】
更にまた、符号４で指示するものは溝部であり、本実施形態では、この溝部４の断面形状をＶ字型またはＵ字型に形成する。
【００２９】
しかして、本考案の装飾床パネルを作製する際には、まずベース板体１の表面に、着色顔料が混練されてなる有色プラスチック製フィルム２を接着（ラミネート）する。この有色プラスチック製フィルム２は、ペレット状のマスターバッチ（高濃度着色剤）と樹脂原料とを混練して所要の押出成形機に投入し、フィルム状に押し出して作製する。
【００３０】
次いで、この有色プラスチック製フィルム２の表面には、少なくとも装飾模様31を具備する装飾プラスチックフィルム３を接着する。本実施形態では、熱溶着によるラミネート加工を施して一体に固着する。
【００３１】
そして、この装飾プラスチックフィルム３の表面から前記有色プラスチック製フィルム２の層内に到達する溝部４を形成する。本実施形態では、装飾プラスチックフィルム３の厚みを約０．１６ｍｍにして、かつ、有色プラスチック製フィルム２の厚みを約０．５ｍｍにして（合計約０．６６ｍｍ）、溝部４の深さを０．５ｍｍにする。また、この溝加工と同時に実加工も行って長手板体の側縁部に結合部11を形成する。
【００３２】
こうすることによって、この溝部４の底部において有色プラスチック製フィルム２が露出して、前記着色顔料の色相が表面に現出する。
【００３３】
更に、本実施形態では、当該着色顔料の色相と、前記装飾プラスチックフィルム３の装飾模様31に配色された色相との色相差が類似または対照であって互いに調和している点に最大の特徴がある。
【００３４】
例えば、本実施形態では、装飾プラスチックフィルム３の装飾模様31が木目模様であって、かつ、有色プラスチックフィルム２の着色顔料を木目模様と同系色にすることによって、温かみのある外観を呈することができる。
【００３５】
このような「類似色相」の組み合わせにする場合、具体的には、有色プラスチック製フィルム２の着色顔料の色相と、装飾プラスチックフィルム３の装飾模様31に配色された色相との色相差が、マンセル２４色相環において３以内にすることが好ましい。
【００３６】
なお、木目模様に調和させる場合には、木目模様が黒系の場合には黒色、木目模様が茶系の場合には茶系色が相応しい。また、装飾模様31の色系により、それぞれに応じた近い色相の着色顔料を採用することができる。
【００３７】
また、配色の調和は、色相差が類似の場合に限らず、対照の場合であっても成り立つ。例えば、マンセル２４色相環における色相差が８〜１０である場合には、ほとんど同じ雰囲気を持たない色相関係になるので、際立つ配色になる。また、色相差が１１〜１２である場合は補色関係になり、コントラストが際立つ雰囲気になる。
【００３８】
なお、本実施形態では、ベース板体１の結合部11の肩部11ａを切削等により面取り（例えば４５°）して、隣接するベース板体１・１を互いに添合させることによって合わせ溝11ｂを形成することができる（図２参照）。
【００３９】
こうしてベース板体１・１…を敷設することによって床面を構成することができる。なお、短辺同士の接合部においても、長辺と同様な接合構造の接合部11を形成することができる（図３参照）。
【００４０】
本考案は、概ね上記のように構成されるが、本考案は図示の実施形態に限定されるものでは決してなく、「実用新案登録請求の範囲」の記載内において種々の変更が可能であって、例えば、有色プラスチック製フィルム２または装飾プラスチックフィルム３を接着する手段は、熱融着によるラミネート加工に限らず、接着剤を塗布して一体化することもできる。
【００４１】
また、装飾プラスチックフィルム３の装飾模様31は木目模様に限らず、その他の自然模様（植物や大理石など）や幾何学的模様、各種デザイン絵柄であっても良く、それに応じて有色プラスチック製フィルム２の色相を選択することもでき、これら何れのものも本考案の技術的範囲に属する。
【符号の説明】
【００４２】
１    ベース板体
11    結合部
11ａ  肩部
11ｂ  合わせ溝
２    有色プラスチック製フィルム
３    装飾プラスチックフィルム
31    装飾模様
４    溝部
【図１】
0003181709.tif 000003
【図２】
0003181709.tif 000004
【図３】
0003181709.tif 000005